(57)【要約】【課題】  容器自体の生産性、収容性に優れた構造で、低コストで製造可能な付加価値の高いプルリング付き容器およびその製造方法を提供する。【解決手段】  容器本体１０と、その上部開口部に一体成型された鍔部２０と、鍔部と同一平面上にあって、鍔部の外周を囲み、一端が鍔部の一端と接続するように容器本体、鍔部と一体形成されたプルリング部３０と、を備えた容器と、鍔部及び開口部、プルリング部、接続部４０、を覆うような形状にカットされ、容器の密閉に供するフィルム材５０と、で構成され、鍔部及びプルリング部においてフィルム材が容器本体上に溶着または粘着されている。【選択図】図１
2010083579.tif 000002
【特許請求の範囲】
【請求項１】
容器本体と、
前記容器本体の上部開口部に一体成型された鍔部と、
前記鍔部と同一平面上にあって、前記鍔部の外周を囲み、その一端が前記鍔部の一端と接続するように、同じく前記容器本体及び前記鍔部と一体形成されたプルリング部と、を備えた容器と、
前記鍔部及び開口部、前記プルリング部、並びに前記鍔部の一端と前記プルリング部の一端との接続部、を覆うような形状にカットされ、前記容器の密閉に供するフィルム材と、で構成され、
前記鍔部及び前記プルリング部において前記フィルム材が前記容器本体上に溶着または粘着されていることを特徴とするプルリング付き容器。
【請求項２】
前接続部の表面には、前記鍔部の外周線と略同方向に切欠部が形成されていることを特徴とする請求項１に記載のプルリング付き容器。
【請求項３】
容器本体と、
前記容器本体の上部開口部に一体成型された鍔部と、
前記鍔部と同一平面上にあって、前記鍔部の外周を囲み、その一端が前記鍔部の一端と接続するように、同じく前記容器本体及び前記鍔部と一体形成されたプルリング部と、を備えた容器と、
前記鍔部及び開口部、前記プルリング部、並びに前記鍔部の一端と前記プルリング部の一端との接続部、を覆うような形状にカットされ、前記容器の密閉に供するフィルム材と、を用い、
前記鍔部及び前記プルリング部において前記フィルム材を前記容器本体上に溶着または粘着して内容物の密閉を行うことを特徴とするプルリング付き容器の製造方法。
【請求項４】
前接続部の表面には、前記鍔部の外周線と略同方向に切欠部が形成されていることを特徴とする請求項３に記載のプルリング付き容器の製造方法。
【発明の詳細な説明】
【技術分野】
【０００１】  本発明は、化粧品や薬品、調味料などの内容物を、特に、小容量ごとに収容するプルリング付き容器に関する。
【背景技術】
【０００２】  近年、容器の開口部に樹脂製フィルムまたはアルミと樹脂のラミネートフィルムを溶着または粘着して内容物を密閉する容器が多用されおり、これを応用した製品も各種開発されている（例えば、特許文献１または特許文献２参照）。【０００３】  このような容器は、フィルムを剥がして充填された内容物を取り出す場合が多い。一方、容器は大小さまざまであるが、例えば、化粧品や薬品、調味料などを１回分の使用量ごとに収容する小さな容器は、剥がすために引っ張る把持部分も一般的に小さいので、溶着・粘着力が強いと、特に、子供や女性、高齢者がフィルムを上手く剥がすことができないという問題があった。溶着・粘着力を弱めれば開封は容易になるが、フィルムが剥がれやすくなるため、運搬時や保存時における容器の堅牢性が低下し、品質上の問題が生じてしまう。【０００４】  ところで、従来、容器の蓋部分を容易に開封する有効な手段としてプルリングやプルトップが普及している。この構成はスチール製やアルミ製の容器に限らず、紙製や樹脂製の容器などにも応用されている（例えば、特許文献３または特許文献４参照）。【０００５】  しかしながら、このプルトップやプルリングは、蓋（または蓋の役割を果たすフィルム）とは独立した別部品として形成されていたり、たとえ蓋と一体で成型されていてもプルトップやプルリングが突起を有する構造となったりしていて、製造コストがかかるという問題や、容器自体の収容性に劣るといった問題があった。
【特許文献１】  特開平６−１０００２９号公報  第２頁〜第３頁  図１
【特許文献２】  特開平１１−１０５９２９号公報  第３頁〜第５頁  図１
【特許文献３】  特開平１０−１６９５６号公報  第５頁〜第６頁  図４
【特許文献４】  特開２００３−３４１６９３号公報  第２頁〜第３頁  図１
【発明の開示】
【発明が解決しようとする課題】
【０００６】  そこで本発明は上記従来の課題に鑑みてなされたものであって、開口部にフィルムを溶着または粘着する方式の容器において、フィルムを剥がし易くするためのプルリングを有し、且つ、容器自体の生産性、収容性に優れた構造で、低コストで製造可能な付加価値の高いプルリング付き容器およびプルリング付き容器の製造方法を提供することを目的とする。
【課題を解決するための手段】
【０００７】  本発明のプルリング付き容器は、容器本体と、前記容器本体の上部開口部に一体成型された鍔部と、前記鍔部と同一平面上にあって、前記鍔部の外周を囲み、その一端が前記鍔部の一端と接続するように、同じく前記容器本体及び前記鍔部と一体形成されたプルリング部と、を備えた容器と、前記鍔部及び開口部、前記プルリング部、並びに前記鍔部の一端と前記プルリング部の一端との接続部、を覆うような形状にカットされ、前記容器の密閉に供するフィルム材と、で構成され、前記鍔部及び前記プルリング部において前記フィルム材が前記容器本体上に溶着または粘着されていることを特徴とする。【０００８】  上記構成によれば、開口部にフィルムを溶着または粘着して内容物を密閉する方式の容器でもプルリングを利用して容易に開蓋することができる。また、容器が単純な形状であるため、容易且つ安価に容器を製造し、収容性にも優れたものとすることができる。【０００９】  また、本発明のプルリング付き容器は、請求項１に記載のプルリング付き容器であって、前接続部の表面には、前記鍔部の外周線と略同方向に切欠部が形成されていることを特徴とする。【００１０】  上記構成によれば、プルリング部を折り曲げて容器本体から分離させるときに、容易に切断することができる。【００１１】  また、本発明のプルリング付き容器の製造方法は、容器本体と、前記容器本体の上部開口部に一体成型された鍔部と、前記鍔部と同一平面上にあって、前記鍔部の外周を囲み、その一端が前記鍔部の一端と接続するように、同じく前記容器本体及び前記鍔部と一体形成されたプルリング部と、を備えた容器と、前記鍔部及び開口部、前記プルリング部、並びに前記鍔部の一端と前記プルリング部の一端との接続部、を覆うような形状にカットされ、前記容器の密閉に供するフィルム材と、を用い、前記鍔部及び前記プルリング部において前記フィルム材を前記容器本体上に溶着または粘着して内容物の密閉を行うことを特徴とする。【００１２】  上記製造方法によれば、開口部にフィルムを溶着または粘着して内容物を密閉する方式の容器でもプルリングを利用して容易に開蓋することができる。また、容器が単純な形状であるため、容易且つ安価に容器を製造し、収容性にも優れたものとすることができる。【００１３】  また、本発明のプルリング付き容器の製造方法は、請求項３に記載のプルリング付き容器の製造方法であって、前接続部の表面には、前記鍔部の外周線と略同方向に切欠部が形成されていることを特徴とする。【００１４】  上記製造方法によれば、プルリング部を折り曲げて容器本体から分離させるときに、容易に切断することができる。
【発明の効果】
【００１５】  本発明によれば、開口部にフィルムを溶着または粘着して内容物を密閉する方式の容器において、プルリングを利用してフィルムを容易に剥がすことができる。また、プルリングは容器本体と一体成型であり、しかも、容器の鍔部と同一平面状に形成されるので、容器の形状が突起等のある複雑な形状ではなく、単純な形となり、容易且つ安価に容器を製造することができる。また、容器自体の収容性にも優れる。
【発明を実施するための最良の形態】
【００１６】  以下、本発明の実施の形態におけるプルリング付き容器について図面を用いて詳細に説明する。【００１７】  図１は、本発明の実施の形態におけるプルリング付き容器の外観を示す斜視図である。プルリング付き容器１００は、主に、容器本体１０、鍔部２０、プルリング部３０、接続部４０、密閉用フィルム材５０、などで構成される。【００１８】  容器本体１０は、液体や固体などの内容物を充填するための凹部を有する樹脂製の容器で、鍔部２０は、容器本体１０の上部開口部に形成されたフランジである。また、プルリング部３０は、鍔部２０の周囲を囲むように、容器本体１０や鍔部２０と一体成型されたリング状の把持部である。尚、鍔部２０とプルリング部３０は、接続部４０で双方が連接しているため一体成型が可能となっている。図中の二点鎖線で示すように、本実施の形態では、プルリング部３０を押し上げて折り、容器本体１０から分離したのちに上方へ引っ張ることにより開封を行う。密閉用フィルム材５０は、樹脂やラミネートのフィルムで構成される。【００１９】  図２は、本発明の実施の形態におけるプルリング付き容器の製造方法を説明するための模式図である。本発明の実施の形態におけるプルリング付き容器は、容器本体１０、鍔部２０、プルリング部３０が一体成型された樹脂製容器の上方に、鍔部２０及び開口部、プルリング部３０、並びに接続部４０を覆うような形状にカットされた（即ち、鍔部２０とプルリング部３０の隙間の部分が適切にカットされた）密閉用フィルム材５０をセットし、例えば、高周波接着ラインを通過させて溶着を行う。図中の二点鎖線で示すように、密閉用フィルム材５０の鍔部２０およびプルリング部３０と当接する部分が溶着される。【００２０】  尚、断面図に示すように、接続部４０の表面には、容器本体１０の鍔部２０とプルリング部３０とが容易に分離できるように、Ｖカット４１を設けることが好ましい。また、密閉用フィルム材５０の溶着は、シート状のものを溶着したあとに外形および鍔部２０とプルリング部３０の隙間の部分をカットするような工程であってもかまわない。さらに、本実施の形態では溶着する例について説明しているが、接着剤等を用いた粘着であってもかまわない。【００２１】  図３は、容器本体１０に密閉用フィルム材５０を溶着したあとの容器の断面を示す模式図である。図は、図２の容器本体１０のＡ−Ａ’断面を示している。上述の通り、密閉用フィルム材５０の鍔部２０およびプルリング部３０と当接する部分で溶着が行われている。鍔部２０とプルリング部３０は同一平面状に形成されているので、密閉用フィルム材５０の溶着が容易に行え、溶着のための装置構成も単純にすることができる。また、容器本体１０の形状も突起等のない単純な形状となるため、容器自体の収容性にも優れる。【００２２】  次に、図４は、本発明の実施の形態におけるプルリング付き容器を開蓋する様子を説明するための図である。本発明の実施の形態におけるプルリング付き容器は、プルリング部３０を上部へ折り曲げると、Ｖカット４１の部分で折れて容器本体１０から分離する。分離しても密閉用フィルム材５０はプルリング部３０の上面に溶着されているから、分離したプルリング部３０を���部へ引き上げると、密閉用フィルム材５０に引っ張り力が有効に懸かり、鍔部２０との溶着部分を剥がすことができる。尚、密閉用フィルム材５０の引っ張り強度が鍔部２０との密着力に屈して破断しないように、接続部４０付近のフィルムの幅は広いことが好ましい。【００２３】  以上のように、本発明のプルリング付き容器によれば、プルリングを利用してフィルムを容易に剥がすことができる。また、プルリングは容器本体と一体成型であり、しかも、容器の鍔部と同一平面状に形成されるので、容器の形状が単純な形となり、容易且つ安価に容器を製造することができる。また、容器自体の収容性にも優れ、付加価値の高い容器を提供することができる。【００２４】  尚、上記の実施の形態では、容器本体１０およびそれと一体成型される鍔部２０、プルリング部３０、接続部４０として合成樹脂を用いたが、これにとらわれるものではなく、鉄やアルミなどの金属や硬質の紙材料など、その他の素材でも実施可能であることは言うまでもない。【００２５】  また、上記の実施の形態では、容器本体１０の断面形状が略三角形になる容器を用いたため、鍔部２０やプルリング部３０もそれに応じた略三角形状であったが、四角形、多角形、円、楕円など、あらゆる断面形状、寸法の容器にも適用可能であり、鍔部２０やプルリング部３０の形状も自在に変化させてかまわない。
【産業上の利用可能性】
【００２６】  本発明にかかるプルリング付き容器は、内容物を密封したフィルムを容易且つ確実に剥がすことができ、収容性にも優れる容器を容易且つ安価で製造できるという効果を有し、特に、小容量内容物の量産用供給容器として有用である。
【図面の簡単な説明】
【００２７】
【図１】  本発明の実施の形態におけるプルリング付き容器の外観を示す斜視図
【図２】  本発明の実施の形態におけるプルリング付き容器の製造方法を説明するための模式図
【図３】  容器本体に密閉用フィルム材を溶着したあとの容器の断面を示す模式図
【図４】  本発明の実施の形態におけるプルリング付き容器を開蓋する様子を説明するための図
【符号の説明】
【００２８】  １０  容器本体
２０  鍔部
３０  プルリング部
４０  接続部
４１  Ｖカット
５０  密閉用フィルム材
【図１】
2010083579.tif 000003
【図２】
2010083579.tif 000004
【図３】
2010083579.tif 000005
【図４】
2010083579.tif 000006